(57)【要約】【課題】回転体（回転つまみ）の中央に静止している表示部材を配置する構造の回転式電子部品において、回転体と表示部材の間の隙間を防滴するのに好適な回転式電子部品を提供すること。【解決手段】回転つまみ８０に凹部８７ａと凸部８７ｂを設け、表示部材３０の表示部３１に凸部３３ａと凹部３３ｃを設け、各凸部３３ａ，８７ｂを凹部８７ａ，３３ｃに挿入することで防滴機構を構成する。凹部３３ｃ内には第１弾性防水部材３００を挿入して凸部８７ｂによって挟持する。防滴機構を構成する凹部８７ａと凸部３３ａを、回転つまみ８０を回転自在に軸支する回転係合部９０として兼用させる。【選択図】図１
2014060030.tif 000002
【特許請求の範囲】
【請求項１】
取付台と、
前記取付台上に固定される軸部と、軸部から半径方向外方に張り出す表示部とを有する表示部材と、
前記取付台と前記表示部材の表示部の間に回動自在に設置される回転体と、
前記回転体の回転によって出力信号を変化する検出手段と、を具備する回転式電子部品において、
前記回転体と前記表示部の対向する両面の何れか一方の面に凹部を設け、他方の面に前記凹部に挿入される凸部を設け、これによって回転体と表示部の間の隙間にその外周側から液体が浸入することを防止する防滴機構を構成したことを特徴とする回転式電子部品。
【請求項２】
請求項１に記載の回転式電子部品であって、
前記防滴機構を構成する凹部と凸部を、前記回転体を回転自在に軸支する回転係合部として兼用させたことを特徴とする回転式電子部品。
【請求項３】
請求項１に記載の回転式電子部品であって、
前記防滴機構は、前記回転体に設けた連続する凹部及び凸部を、前記表示部材の表示部に設けた連続する凸部及び凹部にそれぞれ挿入することで構成されていることを特徴とする回転式電子部品。
【請求項４】
請求項３に記載の回転式電子部品であって、
前記表示部材の表示部に設けた凹部とこの凹部内に挿入される前記回転体に設けた凸部とによって、前記凹部内に挿入した弾性防水部材を挟持することで防滴機能を高めたことを特徴とする回転式電子部品。
【請求項５】
請求項１又は３に記載の回転式電子部品であって、
前記回転式電子部品は、前記表示部材の中央に設けた押圧用キートップ収納部内に上下動自在に収納した押圧用キートップによって押圧スイッチを押圧操作する押圧式電子部品部を有する構造であり、
前記押圧用キートップは、前記表示部材の押圧用キートップ収納部内に収納される押圧操作部と、前記押圧操作部の下面から突出して前記表示部材を貫通しその下に設置した前記押圧スイッチを押圧するスイッチ押圧部とを具備し、
さらに前記押圧用キートップの押圧操作部と前記表示部材の押圧用キートップ収納部の間に第２弾性防水部材を挟持したことを特徴とする回転式電子部品。
【発明の詳細な説明】
【技術分野】
【０００１】
本発明は、防滴機能を有する回転式電子部品に関するものである。
【背景技術】
【０００２】
車載用ナビゲーションシステム、コンピュータ、各種携帯機器、各種ＯＡ機器、ゲーム機等を操作するデバイスとして、例えば特許文献１の図１に示す多機能型電子部品（１）がある。この多機能型電子部品（１）は、回転式電子部品の回転つまみ（１００）の中央に、押圧式電子部品の押釦つまみ（７０）を設置し、さらに回転つまみ（１００）の上面を押圧して揺動することで操作する揺動式電子部品を具備して構成されている。この多機能型電子部品（１）によれば、回転式電子部品の機能と押圧式電子部品の機能と揺動式電子部品の機能とを兼ね備えた多機能型電子部品をコンパクトに構成できる。同時にこの多機能型電子部品（１）は、回転つまみ（１００）の内側の表示部材（１０）上に指標（１５）を形成しているので、この多機能型電子部品（１）を装着する外装ケース（２００）に指標を形成する必要はなく、実質的に多機能型電子部品（１）の外径の小型化が図れる。
【先行技術文献】
【特許文献】
【０００３】
【特許文献１】特開２０１０−１４０６８９号公報
【特許文献２】特開２００９−２３８７０７号公報
【発明の概要】
【発明が解決しようとする課題】
【０００４】
しかしながら上記特許文献１に示す構造、即ち回転つまみ（１００）の内側に表示部材（１０）を設置する構造の多機能型電子部品においては、従来好適な防滴機能を備えるものはなかった。
【０００５】
一方、特許文献２に示す多機能型電子部品（１−１）には、その図１に示すように、回転つまみ（２１０）の張出し部（２２１）の下面と回転体（９０）の上面との間に挟持される筒状の防滴挟持部（３５１）と、防滴挟持部（３５１）の内側の空間を覆って押釦つまみ（１８０）を載置する覆い板部（３５３）とを有する弾性部材からなる第１防滴部材（３５０）を設置し、同時にケース（１５０）と取付台（６０）の間にリング形状の第２防滴部材（３００）を挟持するように設置し、これによってそれぞれ部品の隙間の防滴を図る防滴構造が開示されている。
【０００６】
特許文献２に記載の防滴構造は、単に部品と部品の間に弾性部材（防滴部材）を挟持することで防滴を図る構造であり、しかも第１防滴部材（３５０）を挟持するのは相対的に静止している回転つまみ（２１０）と回転体（９０）の間であり、第２防滴部材（３００）を挟持するのも相対的に静止しているケース（１５０）と取付台（６０）の間である。
【０００７】
一方、特許文献１に記載の多機能型電子部品のように、回転つまみ（１００）の内側に表示部材（１０）を設置する構造の多機能型電子部品においては、静止している表示部材（１０）と、回転する回転つまみ（１００）の間の隙間を防滴構造にする必要があるが、前記特許文献２に示す防滴構造と同様に、表示部材（１０）と回転つまみ（１００）の間に弾性部材からなる防滴部材を挟持する構成にすると、回転つまみ（１００）の回転に必要以上の摩擦抵抗が働き、そのスムーズな回転が阻害される恐れがあった。また必ず防滴部材が必要なので、部品点数が増加し、コスト削減が図れなかった。
【０００８】
一方、上記特許文献１に示す従来の多機能型の電子部品は、表示部材（１０）の中央に設けた軸部（３１）を、回転つまみ（１００）の中央に設けた開口（１０３）に挿入して回転つまみ（１００）を軸支しているので、軸部（３１）の外径寸法（即ち開口（１０３）の内径寸法）に対して回転つまみ（１００）の外周寸法が相対的に大きくなると、前記軸部（３１）における回転つまみ（１００）の傾き方向への僅かながたつき（傾き）に対して回転つまみ（１００）の外周近傍部分における傾き方向（上下方向）へのがたつきが大きくなってしまう恐れがあった。また軸部（３１）の外径寸法が小さいと、回転つまみ（１００）の外周近傍部分を上下方向にがたつかせた際に開口（１０３）と軸部（３１）間に強い力が働き、回転つまみ（１００）の軸支に支障（回転トルクが大きくなる等）が生じる恐れもあった。
【０００９】
本発明は上述の点に鑑みてなされたものでありその目的は、回転する回転体（回転つまみ）の中央に静止している表示部材を配置する構造の回転式電子部品において、前記回転体と表示部材の間の隙間を防滴するのに好適な回転式電子部品を提供することにある。
【課題を解決するための手段】
【００１０】
本発明は、取付台と、前記取付台上に固定される軸部と、軸部から半径方向外方に張り出す表示部とを有する表示部材と、前記取付台と前記表示部材の表示部の間に回動自在に設置される回転体と、前記回転体の回転によって出力信号を変化する検出手段と、を具備する回転式電子部品において、前記回転体と前記表示部の対向する両面の何れか一方の面に凹部を設け、他方の面に前記凹部に挿入される凸部を設け、これによって回転体と表示部の間の隙間にその外周側から液体が浸入することを防止する防滴機構を構成している。
以上のように、凹凸の組合せで回転体と表示部の間の隙間に防滴機構を構成したので、この隙間にその外側から浸入した液体が内部側（中心方向）に向かって浸入していくのを防止することができる。同時に回転体の回転に対する摩擦抵抗は生じず（又は小さく）、回転体のスムーズな回転が行える。
【００１１】
また本発明は、前記防滴機構を構成する凹部と凸部を、前記回転体を回転自在に軸支する回転係合部として兼用させている。このように防滴機構として用いる凹部と凸部を回転係合部としても利用（兼用）するので、構造の簡素化が図れるばかりか、回転体の軸支の径を、表示部材の中央に設ける軸部の径よりも容易に大きく構成することができる。これによって回転体の傾き方向（上下方向）へのがたつきをより小さくすることができる。また回転体の外周近傍部分を上下方向にがたつかせようとする力が働いた場合でも回転係合部に印加される力は小さくて済み、回転体のスムーズな回転が維持できる。
【００１２】
また本発明は、前記防滴機構を、前記回転体に設けた連続する凹部及び凸部を、前記表示部材の表示部に設けた連続する凸部及び凹部にそれぞれ挿入することで構成している。このように連続する凹部及び凸部を、連続する凸部及び凹部に挿入するので、より確実に防滴作用を発揮させることができる。
【００１３】
また本発明は、前記表示部材の表示部に設けた凹部とこの凹部内に挿入される前記回転体に設けた凸部とによって、前記凹部内に挿入した弾性防水部材を挟持することで防滴機能を高めている。このように弾性防水部材を挟持したので、凹部と凸部による防滴作用をさらに高めることができる。なお弾性防水部材は、凹部と凸部による防滴作用を高める（補助する）ために設置されており、従って強い力で挟持する必要はなく、このため回転体の回転に必要以上の摩擦抵抗が働くことはなく、そのスムーズな回転が維持される。
【００１４】
また本発明は、前記回転式電子部品が、前記表示部材の中央に設けた押圧用キートップ収納部内に上下動自在に収納した押圧用キートップによって押圧スイッチを押圧操作する押圧式電子部品部を有する構造であり、前記押圧用キートップが、前記表示部材の押圧用キートップ収納部内に収納される押圧操作部と、前記押圧操作部の下面から突出して前記表示部材を貫通しその下に設置した前記押圧スイッチを押圧するスイッチ押圧部とを具備し、さらに前記押圧用キートップの押圧操作部と前記表示部材の押圧用キートップ収納部の間に第２弾性防水部材を挟持している。これによって押圧用キートップの押圧操作部と押圧用キートップ収納部との間の隙間から浸入した液体が内部側に向かって浸入していくのを防止することができる。
【発明の効果】
【００１５】
本発明によれば、回転する回転体（回転つまみ）の中央に静止している表示部材を配置する構造の回転式電子部品において、回転体のスムーズな回転を維持したまま、回転体と表示部材の間の隙間からの液体の浸入を効果的に防止することができる。
【図面の簡単な説明】
【００１６】
【図１】回転式電子部品１−１の概略側断面図（図２のＡ−Ａ断面図）である。
【図２】回転式電子部品１−１の斜視図である。
【図３】回転式電子部品１−１の分解斜視図（その上側の部品）である。
【図４】回転式電子部品１−１の分解斜視図（その下側の部品）である。
【図５】回転式電子部品１−１を下側から見た分解斜視図（その上側の部品）である。
【図６】回転式電子部品１−１を下側から見た分解斜視図（その下側の部品）である。
【図７】図３に示す表示部材３０のＢ−Ｂ断面拡大図である。
【図８】回転式電子部品１−２の概略側断面図である。
【図９】回転式電子部品１−３の概略側断面図である。
【図１０】回転式電子部品１−４の概略側断面図である。
【発明を実施するための形態】
【００１７】
以下、本発明の実施形態を図面を参照して詳細に説明する。図１は本発明の第１実施形態にかかる回転式電子部品（多機能型電子部品）１−１の概略側断面図（図２のＡ−Ａ断面図）、図２は回転式電子部品１−１の斜視図、図３は回転式電子部品１−１の分解斜視図（その上側の部品）、図４は回転式電子部品１−１の分解斜視図（その下側の部品）、図５は回転式電子部品１−１を下側から見た分解斜視図（その上側の部品）、図６は回転式電子部品１−１を下側から見た分解斜視図（その下側の部品）である。なお以下の説明において、「上」とは取付台１５０から見て表示部材３０の方向をいい、「下」とはその反対方向をいうものとする。
【００１８】
これらの図に示すように回転式電子部品１−１は、支持部材２００上に、第２回路基板部１３５と、取付台１５０と、第１回路基板部１３１と（図４では第２回路基板部１３５の真上に配置されているが、実際には取付台１５０の上側に配置される）、摺動子１１０及びクリック板１２０を取り付けた回転体（以下この実施形態では「回転つまみ」という）８０と、第１弾性防水部材３００と、表示部材３０と、第２弾性防水部材３５０と、押圧用キートップ１０と、を設置して構成されている。
【００１９】
押圧用キートップ１０は合成樹脂の成形品であり、略円板状の押圧操作部１１と、押圧操作部１１の下面中央から下方向に向かって突出する柱状のスイッチ押圧部１３とを具備し、押圧操作部１１の上面を指などで押圧操作する押圧操作面１５とし、スイッチ押圧部１３の先端近傍の外周面の１８０°対向する位置から爪状のガイド突起１７を突設し、さらにスイッチ押圧部１３の根元近傍の外周面に平板を十字状に突出してなるガイド突部１９を設けて構成されている。また押圧操作部１１の下面の前記スイッチ押圧部１３（ガイド突部１９）の周囲を囲む位置には環状突起からなる防水部材押圧部２１を突設している。防水部材押圧部２１は押圧操作部１１下面の外周に沿う一対の円弧状部分（１８０°対向する位置にある）２１ａと、これら円弧状部分の端部同士をつなぐ一対の直線状部分２１ｂとによって構成されている。
【００２０】
第２弾性防水部材３５０はスポンジをリング状に形成して構成されている。第２弾性防水部材３５０の外径寸法は前記押圧用キートップ１０の押圧操作部１１の外径寸法と略同じであって下記する表示部材３０の押圧用キートップ収納部３５に略ぴったり挿入される外形寸法であり、一方その内径寸法は前記押圧用キートップ１０のガイド突部１９の周囲を囲む寸法に形成されている。第２弾性防水部材３５０に用いるスポンジとしてこの例では、防水性を有する発泡ウレタン（他の材質でも良い）製のスポンジを用いている。このスポンジは容易に圧縮でき、圧縮した時の弾性復帰力が弱くて時間をかければ元の形状に自動的に復元する（通常のスポンジと同等の弾性を有するもの）、防水性（液体を吸収しない）を有するスポンジである。
【００２１】
表示部材３０は合成樹脂の成形品であり、取付台１５０上に固定される軸部５１と、軸部５１の上部において半径方向外方に張り出す略円板状の表示部３１とを有して構成されている。ここで図７は図３に示す表示部材３０のＢ−Ｂ断面拡大図である。
【００２２】
表示部３１の下面の外周近傍位置には、リング状（筒状）の凸部３３ａが下記する回転つまみ８０の回転中心軸を中心とする同心円状に設けられている。凸部３３ａの内側には所定の隙間を介して凸部３３ｂが下記する回転つまみ８０の回転中心軸を中心とする同心円状に設けられ、これによって両凸部３３ａ，３３ｂの間に下記する回転つまみ８０の回転中心軸を中心とする同心円状の凹部３３ｃが形成されている。凸部３３ｂ先端（下端）の内側には、底板部３４が設けられている。
【００２３】
表示部３１の中央には円形凹状の押圧用キートップ収納部３５が設けられている。押圧用キートップ収納部３５は、前記押圧用キートップ１０の押圧操作部１１を収納する円形凹状であり、その中央には前記押圧用キートップ１０のスイッチ押圧部１３を貫通して下面に突出させるスイッチ押圧部挿通部３６を形成している。押圧用キートップ収納部３５は前記凸部３３ｂと底板部３４によって構成されており、その内径は、前記押圧用キートップ１０の押圧操作部１１をほぼぴったり収納する寸法に形成されている。底板部３４の上面である底面３４ａには、前記第２弾性防水部材３５０が載置される。一方、表示部３１の表面（上面）には、所望の指標３７が設けられている。この実施形態では各指標３７は下記する４つの押圧スイッチ１４７の上部の位置にそれぞれ設けられている。
【００２４】
軸部５１は表示部３１の下面中央から下方向に向かって柱状（略柱状）に突出しており、その下端面からは複数（４つ）の取付部５３が突出している。各取付部５３は横断面円弧状の略平板であり、軸部５１中央を貫通する前記スイッチ押圧部挿通部３６の周囲を囲む位置に設けられている。スイッチ押圧部挿通部３６は略矩形状の貫通孔であり、その長手方向の両端部の下面側には一対の係止爪５５が突設されている。一対の係止爪５５はアーム状であって弾性を有し、その先端は前記押圧用キートップ１０のガイド突起１７を係止する位置にある。スイッチ押圧部挿通部３６の狭い側の一対の対向面の中央には、上下に向かう溝からなるガイド溝５７が形成されている。ガイド溝５７には前記押圧用キートップ１０のガイド突部１９（４つあるガイド突部１９の内の１８０°対向する一対のガイド突部１９）が上下動自在に挿入される。
【００２５】
第１弾性防水部材３００はスポンジをリング状に形成して構成されている。第１弾性防水部材３００は前記表示部材３０の凹部３３ｃに略ぴったり挿入される寸法形状に形成されている。第１弾性防水部材３００に用いるスポンジの材質としては、前記第２弾性防水部材３５０に用いるスポンジと同じ材質のものを使用している。
【００２６】
回転つまみ８０は合成樹脂の成形品であり、略円板状に成形され、その上面に円形凹状の表示部収納部８１を設け、その中央に略円形の貫通孔からなる開口部８３を設け、その下面の開口部８３の周囲を取付面８５として構成している。表示部収納部８１の内径寸法は前記表示部材３０の表示部３１の外径寸法よりも若干大きく形成されている。表示部収納部８１の底面には、その外周側からリング状の凹部８７ａとリング状（筒状）の凸部８７ｂが同心円状に設けられている。凹部８７ａは前記表示部材３０の凸部３３ａを略ぴったり挿入する寸法に形成されており、凹部８７ａの外側の内径寸法と凸部３３ａの外径寸法とをほぼ同一にすることで、凹部８７ａ内に凸部３３ａを挿入した際に回転つまみ８０が回転自在に軸支されるようにしている。これら凹部８７ａと凸部３３ａとによって回転係合部９０が構成される。また凸部８７ｂは前記表示部材３０の凹部３３ｃに略ぴったり挿入され、且つ凸部８７ｂの先端面と凹部３３ｃの底面との間に所定の高さ寸法（第１弾性防水部材３００の厚み寸法よりも少し小さい寸法）の隙間が形成されるようにしている。
【００２７】
開口部８３の内径寸法は前記表示部材３０の軸部５１の外径寸法よりも大きく形成され、その内部に前記表示部材３０の軸部５１を挿入できるようにしている。回転つまみ８０の表示部収納部８１の外側を囲むリング状の部分は、つまみ操作部８９となっている。回転つまみ８０の取付面８５には複数（３つ）の小突起からなる取付部９１が形成されており、また取付面８５の周囲を囲む位置にはリング状に突出する当接部９３が設けられ、さらに当接部９３の外周側にはリング状に凹凸を設けてなるクリック係合部９５が形成されている。
【００２８】
摺動子１１０は弾性金属板（例えばリン青銅板）製であり、回転つまみ８０の当接部９３の内径よりも小さな外径寸法を有する略円形の平板リング状に形成され、中央に開口部１１１を設けると共に、等間隔（１２０°間隔）の３か所の位置に、前記回転つまみ８０の各取付部９１を挿入する貫通孔からなる取付固定部１１３を設け、また各取付固定部１１３の側部から摺接ブラシ１１５を摺動子１１０の円形の外形に沿うように設置して構成されている。各組の摺接ブラシ１１５の先端近傍部分は、接点部１１７となっている。摺動子１１０は検出手段を構成する部品である。
【００２９】
クリック板１２０は、弾性金属板（例えばステンレス板）をリング状に形成して構成されており、１８０°対向する位置に一対の基部１２１を設け、各基部１２１の両端から一対の半円弧状のアーム部１２３を突出し、各アーム部１２３の中央にクリック弾接部１２５を設けて構成されている。つまりクリック弾接部１２５は基部１２１よりも９０°回転した１８０°対向する位置に一対設けられている。各基部１２１には下記する取付台１５０に設けた各クリック板係止部１６６を挿入する小孔からなる取付部１２７が設けられている。各アーム部１２３の両端は基部１２１に接続されている部分において上方向に傾くように折り曲げられている。また各クリック弾接部１２５は上方向に突出するように湾曲されている。
【００３０】
取付台１５０は合成樹脂を略平板状に成形して構成されており、取付台本体１５１の外周にこれを囲むように取付台保持部１５３を取り付けている。取付台本体１５１の中央には押圧用キートップ１０のスイッチ押圧部１３を挿通して軸支する押圧部挿通孔１５５が設けられている。押圧部挿通孔１５５の形状は、円形部分の外周の１８０°対向する部分から矩形状部分を突出する形状に形成されており、円形部分には前記押圧用キートップ１０のスイッチ押圧部１３が略ぴったり挿通され、矩形状部分には前記表示部材３０の係止爪５５が挿入される。また取付台本体１５１上面の押圧部挿通孔１５５の周囲には、円形の薄く突出する軸部当接面１５９が設けられている。軸部当接面１５９には、前記表示部材３０に設けた各取付部５３を挿入する貫通孔からなる被取付部１６３が形成されている。取付台本体１５１上面の外周近傍部分の１８０°対向する位置には、一対の小突起からなる基板係止部１６５が設けられている。また取付台本体１５１上面の外周近傍部分の前記基板係止部１６５から９０°ずれた１８０°対向する位置には、一対の小突起からなるクリック板係止部１６６が設けられている。また取付台本体１５１の下面には円周状に等間隔に複数（４つ）の下方向に向かって突出する柱状の押圧部１６７が設けられている。
【００３１】
取付台保持部１５３は、取付台本体１５１の外周を囲む位置に設置されており、略平板の矩形リング状でその全体が上下方向に可撓性を有する厚みに形成されている。取付台保持部１５３と取付台本体１５１間は、等間隔に配置した複数（４つ）の平板薄板状の連結部１７１によって連結されており、これら各部分は一体の成形品で構成されている。連結部１７１も上下方向に可撓性を有している。取付台保持部１５３の下面には複数（４つ）の固定部１７３が等間隔に下方向に向かって突設されている。各固定部１７３は各連結部１７１の中間に位置するように設けられ、また取付台保持部１５３の厚みを厚くした部分の下面に設けられている。
【００３２】
第１回路基板部１３１と第２回路基板部１３５は１枚のフレキシブル回路基板１３０に形成されている。即ちフレキシブル回路基板１３０は、可撓性を有する合成樹脂フイルム上に所望の回路パターンを設けて構成されており、この実施形態では合成樹脂フイルムとして熱可塑性のポリエチレンテレフタレート（ＰＥＴ）フイルムを用いているが、他の各種熱可塑性、熱硬化性、光硬化性の合成樹脂フイルムを用いて構成しても良い。フレキシブル回路基板１３０は摺接パターン１３７が形成された第１回路基板部１３１と、中央の押圧スイッチ１４５と周囲を囲む押圧スイッチ１４７とが形成された第２回路基板部１３５とを、帯状の連結部１４９によって連結して構成されている。摺接パターン１３７は検出手段を構成する。
【００３３】
第１回路基板部１３１は略楕円形の外形を有し、中央に取付台１５０の軸部当接面１５９を挿通する円形の開口部１３３を設け、またその上面の開口部１３３の周囲に所望の摺接パターン１３７を設けて構成されている。摺接パターン１３７は銀などの導電ペーストを印刷するなどして形成されており、この例ではエンコーダパターンが形成されている。また第１回路基板部１３１の外周近傍部分の前記取付台１５０の各基板係止部１６５に対向する複数（２か所）の位置には貫通孔からなる挿通部１３９が設けられている。
【００３４】
第２回路基板部１３５はその上面に中央の押圧スイッチ１４５を設置し、押圧スイッチ１４５の周囲の複数の位置（この例では同一円周上の等間隔の４か所の位置）に押圧スイッチ１４７を設置して構成されている。中央の押圧スイッチ１４５と周囲の押圧スイッチ１４７は何れも同一構造であり、何れについても第２回路基板部１３５上に形成した図示しない一対のスイッチ接点上に弾性金属板をドーム形状に形成してなる反転板（可動接点板）を取り付けて構成されており、反転板を押圧してこれを反転することでスイッチがオンする構造になっている。また前記取付台１５０の各固定部１７３に対向する位置にはそれぞれ貫通孔からなる被取付部１４８が形成されている。
【００３５】
支持部材２００は硬質板（この実施形態では金属板（例えばステンレス板））によって構成されており、前記取付台１５０の各固定部１７３に対向する位置にそれぞれ貫通孔からなる被取付部２０１が形成されている。
【００３６】
次に回転式電子部品１−１の組み立て方法を説明する。まず予め、回転つまみ８０の取付面８５に摺動子１１０を載置する。このとき回転つまみ８０の各取付部９１を摺動子１１０の各取付固定部１１３に挿入し、各取付部９１の先端を熱かしめすることで、摺動子１１０を回転つまみ８０に取り付ける。一方第１回路基板部１３１を、取付台本体１５１とその取付台保持部１５３の間の隙間を通すことで取付台１５０上に載置し、その際取付台本体１５１の各基板係止部１６５を第１回路基板部１３１の各挿通部１３９に挿入し、その先端を熱かしめすることで取付台本体１５１上に第１回路基板部１３１を取り付ける。このときフレキシブル回路基板１３０の連結部１４９は、取付台本体１５１と取付台保持部１５３の間の隙間に挿入された状態となる。次に前記取付台本体１５１の上にクリック板１２０を載置し、その際取付台本体１５１の各クリック板係止部１６６をクリック板１２０の各取付部１２７に挿入し、各クリック板係止部１６６の先端を熱かしめすることで取付台本体１５１上にクリック板１２０を取り付ける。
【００３７】
一方表示部材３０のつまみ収納部３５内に第２弾性防水部材３５０を挿入した上でさらに押圧用キートップ１０を挿入し、その際押圧用キートップ１０のスイッチ押圧部１３を表示部材３０のスイッチ押圧部挿通部３６に挿入する。このとき押圧用キートップ１０のスイッチ押圧部１３に設けたガイド突起１７が表示部材３０に設けた係止爪５５に図１に示すようにスナップイン係合し、同時にスイッチ押圧部１３の外周に設けた一対のガイド突部１９が表示部材３０の一対のガイド溝５７に上下動自在に係合する。このとき同時に第２弾性防水部材３５０は、表示部材３０の底面３４ａと押圧操作部１１下面の防水部材押圧部２１によって少し挟持される。言い換えれば、第２弾性防水部材３５０が押圧用キートップ１０の上方向への自動復帰力を付与し、押圧用キートップ１０のがたつきを防止している。
【００３８】
次に上記押釦つまみ１０を装着した表示部材３０下面の凹部３３ｃ内に第１弾性防水部材３００を収納する。次にこの表示部材３０を、上記摺動子１１０を取り付けた回転つまみ８０の表示部収納部８１内に挿入し、その際表示部材３０の軸部５１の先端側を回転つまみ８０の開口部８３に挿通する。このとき同時に、表示部材３０の凸部３３ａは回転つまみ８０の凹部８７ａに略ぴったり挿入され、また回転つまみ８０の凸部８７ｂは表示部材３０の凹部３３ｃ内に挿入され前記凹部３３ｃ内に予め挿入しておいた第１弾性防水部材３００を挟持する。
【００３９】
次に上記各部品を搭載した回転つまみ８０を、取付台本体１５１上に取り付けた第１回路基板部１３１上に載置し、その際表示部材３０の軸部５１を取付台本体１５１の軸部当接面１５９上に載置する。このとき軸部５１下面の各取付部５３を取付台１５０の各被取付部１６３に挿入し、その先端を取付台本体１５１の下面において熱かしめする。そしてこの取付台１５０を、支持部材２００上に載置した第２回路基板部１３５上に載置し、その際取付台１５０の各固定部１７３を第２回路基板部１３５の被取付部１４８と支持部材２００の被取付部２０１に挿入し、その先端を支持部材２００の下面で熱かしめする。これによって回転式電子部品１−１が完成する。なお上記組立手順はその一例であり、他の各種異なる組立手順を用いて組み立てても良いことはいうまでもない。
【００４０】
以上のように構成された回転式電子部品１−１において、回転つまみ８０を回転すると、回転つまみ８０に取り付けた摺動子１１０が回転つまみ８０と一体に回転し、その接点部１１７が摺接パターン１３７上を摺動することで摺接パターン１３７からの検出出力が変化する。同時にクリック板１２０に対して回転つまみ８０が回転することでそのクリック弾接部１２５が回転つまみ８０のクリック係合部９５の凹凸を乗り越えてゆき、クリック感覚が生じる。
【００４１】
次に押圧用キートップ１０の押圧操作面１５を押圧すれば、押圧用キートップ１０が下降してそのスイッチ押圧部１３が中央の押圧スイッチ１４５の反転板を押圧して反転し、押圧スイッチ１４５がオンする。押圧用キートップ１０への押圧を解除すれば反転板の弾性復帰力によって押圧用キートップ１０は元の位置に戻り、押圧スイッチ１４５はオフする。このように表示部材３０の中央に設けた押圧用キートップ収納部３５内に上下動自在に収納した押圧用キートップ１０によって押圧スイッチ１４５を押圧操作する構造を押圧式電子部品部ということとする。
【００４２】
次に回転つまみ８０のつまみ操作部８９の前記各指標３７の何れかに対応する部分（その指標３７の半径方向外側の上面部分）を下方向に向けて押圧すれば、回転つまみ８０や表示部材３０や押圧用キートップ１０など、取付台本体１５１上に設置されている各構成部品全体が取付台本体１５１と一体に押圧された方向に傾いて揺動し、下降した側の押圧部１６７が対向する押圧スイッチ１４７の反転板を押圧して反転し、押圧スイッチ１４７がオンする。取付台本体１５１は、連結部１７１及び取付台保持部１５３が撓むことで傾く。回転つまみ８０への押圧を解除すれば、撓んだ連結部１７１及び取付台保持部１５３の元の形状への弾性復帰力と、反転している反転板の弾性復帰力とによって、回転つまみ８０及び取付台本体１５１などの揺動していた全構成部品が一体に元の位置に自動復帰し、押圧スイッチ１４７はオフする。
【００４３】
そして上記回転式電子部品１−１において、表示部材３０の外周と回転つまみ８０の表示部収納部８１の間の隙間から液体が侵入しても、表示部材３０の凸部３３ａ及び凹部３３ｃと、回転つまみ８０の凹部８７ａ及び凸部８７ｂとが噛み合うことで防滴機構が構成されているので、前記隙間から浸入した液体が内部側（中心方向）に向かって浸入していくことは効果的に防止される。同時に回転つまみ８０の回転に対する摩擦抵抗は生じず（又は小さく）、回転つまみ８０のスムーズな回転が行える。さらにこの回転式電子部品１−１の場合、回転つまみ８０の凸部８７ｂと表示部材３０の凹部３３ｃの間において第１弾性防水部材３００が挟持されているので、凹部３３ｃと凸部８７ｂによる防滴機能を高めることができる。なお第１弾性防水部材３００はスポンジ製であって弱い力で容易に圧縮でき、従って弱い力で挟持するので、回転つまみ８０の回転時に生じる第１弾性防水部材３００との摩擦による回転抵抗は小さく、そのスムーズな回転が維持される。なお、高い防滴機能を求めないのであれば、第１弾性防水部材３００はその設置を省略しても良い。
【００４４】
一方押圧用キートップ１０の押圧操作部１１の外周と表示部材３０の押圧用キートップ収納部３５の間の隙間から液体が浸入しても、第２弾性防水部材３５０がその浸入を効果的に防止する。第２弾性防水部材３５０もスポンジ製であって弱い力で容易に圧縮できるので、押圧用キートップ１０を押し下げる際の抵抗にはあまりならず、押圧用キートップ１０のスムーズな動作が維持できる。
【００４５】
なお上記回転式電子部品１−１では、表示部材３０の凸部３３ａ及び凹部３３ｃと、回転つまみ８０の凹部８７ａ及び凸部８７ｂとを噛み合わせることで防滴機構を構成したが、表示部材３０と回転つまみ８０の何れか一方に凹部を設け、他方に凸部を設け、これらを噛み合わせることで防滴機構を構成しても良い。もちろん凹部と凸部の噛み合わせの数が多いほど防滴機能は向上する。
【００４６】
ところでこの回転式電子部品１−１においては、回転つまみ８０の回転時の軸支を、表示部材３０の表示部３１の下面に設けた回転係合部９０において行うので、表示部材３０の中央に設ける軸部５１の径よりもその径を容易に大きく構成することができる。これによって回転つまみ８０の傾き方向（上下方向、図１の矢印Ｂ方向）へのがたつきをより小さくすることができる。また回転つまみ８０の外周近傍部分を上下方向（矢印Ｂ方向）にがたつかせようとする力が働いた場合でも回転係合部９０に印加される力は小さくて済み、回転つまみ８０のスムーズな回転が維持できる。つまりこの回転式電子部品１−１においては、防滴機構として用いる凹部８７ａと凸部３３ａを回転係合部９０としても利用（兼用）している。なおこの例では凹部８７ａの外側の内周面と凸部３３ａの外周面とを摺動面として回転係合部９０を構成したが、凸部８７ｂの外周面と凸部３３ａの内周面とを摺動面として回転係合部９０を構成したり、凸部８７ｂの内周面と凸部３３ｂの外周面とを摺動面として回転係合部９０を構成しても良い。
【００４７】
図８は本発明の第２実施形態に係る回転式電子部品１−２の概略側断面図（図１と同一部分の断面図）である。同図に示す回転式電子部品１−２において、前記図１〜図７に示す回転式電子部品１−１と同一又は相当部分には同一符号を付す。なお以下で説明する事項以外の事項については、前記図１〜図７に示す実施形態と同じである。
【００４８】
この回転式電子部品１−２において前記回転式電子部品１−１と相違する点は、第１弾性防水部材３００を省略し、その代りに凸部３３ｂの外周側の下端角部に設けた矩形状に凹むリング状の凹部３３１にＯリングからなる弾性防水部材４００を取り付け、この弾性防水部材４００を凹部３３１と凸部８７ｂとによって挟持している点である。このように構成した場合、回転つまみ８０の回転時の回転トルクは大きくなるが、凹部と凸部の噛み合いだけの場合に比べて防滴効果は増大する。
【００４９】
図９は本発明の第３実施形態に係る回転式電子部品１−３の概略側断面図（図１と同一部分の断面図）である。同図に示す回転式電子部品１−３において、前記図１〜図７に示す回転式電子部品１−１と同一又は相当部分には同一符号を付す。なお以下で説明する事項以外の事項については、前記図１〜図７に示す実施形態と同じである。
【００５０】
この回転式電子部品１−３において前記回転式電子部品１−１と相違する点は、第１弾性防水部材３００を省略し、その代りに回転つまみ８０の凹部８７ａの中にグリスＧを溜め、これに表示部材３０の凸部３３ａの先端を浸漬させている点である。このように構成した場合も、凹部と凸部の噛み合いだけの場合に比べて防滴効果を増大させることができる。
【００５１】
図１０は本発明の第４実施形態に係る回転式電子部品１−４の概略側断面図（図１と同一部分の断面図）である。同図に示す回転式電子部品１−４において、前記図１〜図７に示す回転式電子部品１−１と同一又は相当部分には同一符号を付す。なお以下で説明する事項以外の事項については、前記図１〜図７に示す実施形態と同じである。
【００５２】
この回転式電子部品１−４において前記回転式電子部品１−１と相違する点は、第１弾性防水部材３００と第２弾性防水部材３５０の両者を省略し、その代りに回転つまみ８０の凸部８７ｂの長さを長くして表示部材３０の凹部３３ｃの底面近傍に至らせ、これによって凹凸による防滴効果を増大させている点と、表示部材３０の押圧用キートップ収納部３５の底面中央から筒状の凸部３６ａを突出し、一方押圧用キートップ１０の押圧操作部１１の下面の外周近傍部分から筒状であって前記凸部３６ａよりも径の大きい筒状の凸部１２を突出し、凸部３６ａの外側に凸部１２を挿入することで防滴機構を形成している点とである。このように構成した場合、弾性防水部材を全く使用しないので、部品点数が削減できる。なおこの例では凸部８７ｂの内周面と凸部３３ｂの外周面とを摺動面として回転係合部９０を構成している。
【００５３】
以上説明したように、本発明に係る回転式電子部品は、取付台１５０と、取付台１５０上に固定される軸部５１及びこの軸部５１から半径方向外方に張り出す表示部３１とを有する表示部材３０と、取付台１５０と表示部材３０の表示部３１の間に回動自在に設置される回転つまみ８０と、回転つまみ８０の回転によって出力信号を変化する摺動子１１０及び摺接パターン１３７からなる検出手段とを具備する構造であって、さらに回転つまみ８０と表示部３１の対向する両面の何れか一方の面に凹部を設け、他方の面に前記凹部に挿入される凸部を設け、これによって回転つまみ８０と表示部３１の間の隙間に外側から液体が浸入するのを防止する防滴機構を設けている。
【００５４】
このように凹凸の組合せで回転つまみ８０と表示部３１の間の隙間に防滴機構を構成したので、この隙間にその外側から浸入した液体が内部側（中心方向）に向かって浸入していくのを防止することができる。同時に回転つまみ８０の回転に対する摩擦抵抗は生じず（又は小さく）、回転つまみ８０のスムーズな回転が行えるようになる。
【００５５】
同時に本発明においては、前記防滴機構を構成する凹部と凸部を、回転つまみ８０を回転自在に軸支する回転係合部９０として兼用している。このように防滴機構として用いる凹部と凸部を回転係合部９０として兼用するので、構造の簡素化が図れるばかりか、回転つまみ８０の軸支の径を、表示部材３０の中央に設ける軸部５１の径よりも容易に大きく構成することができる。これによって回転つまみ８０の傾き方向（上下方向）へのがたつきをより小さくすることができる。また回転つまみ８０の外周近傍部分を上下方向にがたつかせようとする力が働いた場合でも回転係合部９０に印加される力は小さくて済み、回転つまみ８０のスムーズな回転が維持できる。
【００５６】
また本発明に係る防滴機構は、回転つまみ８０に設けた連続する凹部及び凸部を、表示部材３０の表示部３１に設けた連続する凸部及び凹部にそれぞれ挿入することで構成している。このように連続する凹部及び凸部を、連続する凸部及び凹部に挿入するので、より確実に防滴作用を発揮させることができる。
【００５７】
また本発明に係る回転式電子部品は、表示部材３０の表示部３１に設けた凹部とこの凹部内に挿入される回転つまみ８０に設けた凸部とによって、前記凹部内に挿入した第１弾性防水部材３００を挟持することで防滴機能を高めるように構成している。このように第１弾性防水部材３００を挟持すれば、凹部と凸部による防滴作用をさらに高めることができる。なお第１弾性防水部材３００は、凹部と凸部による防滴作用を高める（補助する）ために設置されており、従って強い力で挟持する必要はなく、このため回転つまみ８０の回転に必要以上の摩擦抵抗が働くことはなく、そのスムーズな回転が維持される。特にこの第１弾性防水部材３００として防水性を有するスポンジによって構成した場合は柔軟性があり、摩擦抵抗が少なく、好適である。
【００５８】
また本発明に係る回転式電子部品は、表示部材３０の中央に設けた押圧用キートップ収納部３５内に上下動自在に収納した押圧用キートップ１０によって押圧スイッチ１４５を押圧操作する押圧式電子部品部を有する構造であり、押圧用キートップ１０は、前記表示部材３０の押圧用キートップ収納部３５内に収納される押圧操作部１１と、押圧操作部１１の下面から突出して表示部材３０を貫通しその下に設置した押圧スイッチ１４５を押圧するスイッチ押圧部１３とを具備し、さらに押圧用キートップ１０の押圧操作部１１と表示部材３０の押圧用キートップ収納部３５の間に第２弾性防水部材３５０を挟持して構成されている。これによって表示部材３０の押圧用キートップ収納部３５と押圧用キートップ１０の間の隙間から浸入した液体が回転式電子部品の内部側に向かって浸入していくのを防止することができる。
【００５９】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、表示部材３０の表示部３１に設ける指標３７の形状や位置や数、押圧スイッチ１４７の設置位置や数などは種々の変更が可能である。また上記実施形態では摺動子１１０と摺接パターン１３７とによって検出手段を構成したが、検出手段は回転つまみ８０の回転によってその検出出力が変化する構成であれば他の構成であっても良い。検出手段による検出出力は電気的出力に限られず、磁気的出力や光学的出力などであっても良い。
【００６０】
また場合によっては、中央の押圧用キートップ１０と押圧用キートップ１０によって押圧操作される中央スイッチ１４５、すなわち押圧式電子部品部の部分を省略しても良い。同様に場合によっては、支持部材２００と第２回路基板部１３５と取付台保持部１５３及び連結部１７１、すなわち揺動式電子部品の部分を省略しても良い。また上記実施形態では回転つまみ８０のみによって回転体を構成したが、例えば摺動子１１０を取り付ける回転体と、つまみ操作部８９を有するつまみ部分とを別部品で構成しても良いなど、その構造には種々の変更が可能である。また取付台保持部１５３は可撓性のない剛体で構成しても良い。その場合でも連結部１７１に可撓性があれば取付台１５０は揺動可能となる。さらに取付台１５０の連結部１７１を省略し、その代わりに例えば別途可撓性を有するフイルム状部材（合成樹脂フイルム等）を用意し、このフイルム状部材によって取付台本体１５１と取付台保持部１５３間を連結するなどしても良い。
【００６１】
また上記実施形態では、第１回路基板部１３１と第２回路基板部１３５を連結部１４９によって一体に連結しているが、第１回路基板部１３１と第２回路基板部１３５とを別個の回路基板として構成しても良い。その場合、第１回路基板部１３１と第２回路基板部１３５の少なくとも何れかを硬質の回路基板で構成することもできる。また上記実施形態では、押圧スイッチ１４５，１４７を１枚の合成樹脂フイルム上に形成した接点パターン上に反転板を取り付けることで構成しているが、これらのスイッチは２枚の合成樹脂フイルム（一方は硬質の合成樹脂板でも良い）を重ね合わせて両合成樹脂フイルムにそれぞれ設けた一対の接点パターンを隙間を介して対向させ、一方の合成樹脂フイルムに設けた接点パターンの裏面側に反転板を設置すること（場合によっては反転板は不要）で構成されるいわゆるメンブレンスイッチで構成しても良い。
【符号の説明】
【００６２】
１−１〜１−４  回転式電子部品（多機能型電子部品）
１０  押圧用キートップ（押圧式電子部品部）
１１  押圧操作部
１３  スイッチ押圧部
１５  押圧操作面
３０  表示部材
３１  表示部
３３ａ  凸部（防滴機構）
３３ｂ  凸部（防滴機構）
３３ｃ  凹部（防滴機構）
３４  底板部
３４ａ  底面
３５  押圧用キートップ収納部（押圧式電子部品部）
５１  軸部
８０  回転つまみ（回転体）
８７ａ  凹部（防滴機構）
８７ｂ  凸部（防滴機構）
９０  回転係合部
１１０  摺動子（検出手段）
１２０  クリック板
１３１  第１回路基板部
１３５  第２回路基板部
１４５  押圧スイッチ（押圧式電子部品部）
１４７  押圧スイッチ
１５０  取付台
２００  支持部材
３００  第１弾性防水部材（弾性防水部材）
３５０  第２弾性防水部材
【図１】
2014060030.tif 000003
【図２】
2014060030.tif 000004
【図３】
2014060030.tif 000005
【図４】
2014060030.tif 000006
【図５】
2014060030.tif 000007
【図６】
2014060030.tif 000008
【図７】
2014060030.tif 000009
【図８】
2014060030.tif 000010
【図９】
2014060030.tif 000011
【図１０】
2014060030.tif 000012